(57)【要約】      （修正有）【課題】身体の胴部に装着でき、軽量で不使用時に傘を折畳んで保持できる折畳傘の傘保持具を提供する。【解決手段】傘の握り柄を保持する伸縮保持筒を外筒３ａと内筒３ｉから形成し、外筒表面の上下に押しノブを有する押しノブ取付け具３ｄを設け、この位置の外筒表面に上下の止めボタン孔を開口し、この止めボタン孔に内筒３ｉから外筒３ａへ弾撥的に突出嵌合し、押しノブの押圧により外れる突起状ボタンを内筒表面から突出状に設けて外筒３ａと内筒３ｉの固定・解除機構とし、内筒上端部を回動軸とし、２枚の縦板９をこの回動軸で交差させて開脚状で回動軸に略水平に支持し、その一端部の傘の握り柄を挟持する２枚の挟み板９ａとし、他端部を開脚状の２枚の押し板とし、雄ねじにより押し板の開脚割合を固定する。【選択図】図２
0003172092.tif 000002
【実用新案登録請求の範囲】
【請求項１】
身体の胴部の形状に倣った幅広の曲状の硬質プラスチック製の胴当て板と、この胴当て板の外面に固定具備せしめた傘の握り柄を保持する傘保持用の硬質プラスチック製の縦向きの伸縮保持筒と、この伸縮保持筒の隣に平行に配置された折り畳んだ傘の収納用の硬質プラスチック製の縦向きの収納筒と、胴当て板に取り付けた水平方向の身体の胴部へ装着する胴バンドと肩から吊るす肩バンドから形成の傘保持具において、傘の握り柄の部分を保持する傘保持用の硬質プラスチック製の伸縮保持筒を円筒状の外筒とテレスコピックに上方に延びかつ下方の元の状態に戻る円筒状の内筒から形成し、外筒の上部表面に上部押しノブを有する押しノブ取付け具および外筒の下部表面に下部押しノブを有する押しノブ取付け具をそれぞれ設け、さらに外筒の上部表面に上部止めボタン孔および外筒の下部表面に下部止めボタン孔をそれぞれ開口し、これらの上部止めボタン孔および下部止めボタン孔に内筒から外筒へ弾撥的に突出して嵌合でき、かつこれらの上部止めボタン孔および下部止めボタン孔から押しノブの押圧により凹ませて外し得る突起状ボタンを内筒の表面から突出状に設け、これら外筒の上部押しノブと下部押しノブおよび上部止めボタン孔と下部止めボタン孔並びに内筒の表面から突出する突起状ボタンを外筒と内筒の固定機構および固定解除機構とし、さらに内筒の上端部を梃子作用の支点の回動軸とし、２枚の硬質プラスチック製の縦板をこの回動軸で交差させて開脚状で回動軸に直角方向の略水平に支持し、この開脚状で略水平に支持された２枚の硬質プラスチック製の縦板の一端部の傘の握り柄を挟持する２枚の挟み板を梃子作用の作用点とし、一方、この開脚状で略水平に支持された２枚の硬質プラスチック製の縦板の他端部の開脚状の２枚の押し板を梃子作用の力点とし、この開脚状の２枚の押し板に貫通する雌ねじ孔を設け、この雌ねじ孔に握り部であるねじ頭部を有する雄ねじを挿通して設けて２枚の開脚状の押し板の開脚割合を固定するものとしたことを特徴とする身体の胴部に装着して傘をさすための傘保持具。
【請求項２】
円筒状の外筒とテレスコピックに上方に延びかつ下方の元の状態に戻る円筒状の内筒から形成の傘の握り柄の部分を保持する傘保持用の硬質プラスチック製の伸縮保持筒は、外筒の側部の一部に外筒の下端から外筒上部表面に形成の上部止めボタン孔の位置までに筒軸方向の膨出部を設け、この外筒の膨出部の内壁に筒軸方向にガイドする凹溝を形成し、この凹溝に嵌合しかつ凹溝に倣って上下動するガイドピンを内筒側端下端部に付設していることを特徴とする請求項１に記載の身体の胴部に装着して傘をさすための傘保持具。
【考案の詳細な説明】
【技術分野】
【０００１】
この考案は、身体の胴部に装着して傘をさすための傘保持具に関し、特に降雨時に開いた傘を手で保持することなく、身体の胴周りに取り付けた傘保持具に傘の柄の握り部を取付け、柄を上方に延ばして傘をさした状態で保持でき、かつ、未使用時に折り畳んだ傘を簡単に収納できる傘保持具に関する。
【背景技術】
【０００２】
降雨時に使用する傘は、通常は降雨時に開いた傘の柄の握り部を手で握って支持して傘をさし、未使用時には通常の傘の場合は、傘を閉じて柄の握り部を握って保持して石突き側を下にして歩行する。折り畳み傘であれば、傘を畳んで縮めて柄の握り部を握って保持し、乾いておれば鞄などに収納して歩行できるが、濡れた状態のときは手で持つこととなり、手がふさがれることとなってしまう。
【０００３】
このような傘の使用方法は、両手が空いているときはよいが、重い荷物を手で持っているときには、仮に片方の手が空いていても、その片方の手で傘をさすことが負担となることがある。又、自転車に乗るときは傘をさすために片手を取られることは安全運転上からも好ましくないことである。さらに、たとえ両手が空いていても傘をさすことで、片手の自由がそがれ、このためにバランスを崩して倒れる恐れがある。
【０００４】
そこで、両手が傘の保持以外に使用できるように、身体に取り付けて傘を身体で自動で保持する用具が種々考案されており、本件の出願人も身体の胴部の周りのベルトで支持する傘保持具を開発している（例えば、特許文献１、特許文献２参照。）。この他に肩にかけた肩紐に傘の握り部の手元を保持させたもの（例えば、特許文献３参照。）や身体の胴に取り付けるようにしたもの（例えば、特許文献４参照。）があり、さらに頭で傘の柄の手元を支持するもの（例えば、特許文献５、特許文献６参照。）などがある。
【０００５】
しかし、これらのうち特許文献１や特許文献２に記載のものは、傘の柄の握り柄である手元を挿着するための手元挿入口を内筒の上端部に設け、この上端部の内筒内に挿入した傘の手元を内筒壁との間に挟持して固定する押し付け棒をねじ螺合して固定可能とし、この傘の手元を固定した内筒を外筒に挿着して上下に伸縮可能として胴バンドや型バンドで身体に保持する傘保持具としている。この傘保持具を身体に取り付けることで、両手を自由に使えるようにしながらも、傘を安定してさした状態で身体に保持できるものとしている。しかし、この傘保持具をより一層に使い勝手の良好なものとすることが求められている。また、特許文献３〜６に記載のものは、両手を空けて自由に使えるが、傘の保持機能が必ずしも安定的でなく、このために傘が風などで煽られて倒れやすく、十分に雨を遮ることできないなどの問題があった。
【先行技術文献】
【特許文献】
【０００６】
【特許文献１】特開２００４−２２９７８５号公報
【特許文献２】特開２００７−２０２８６４号公報
【特許文献３】特開昭６１−５６６０１号公報
【特許文献４】特開昭６１−７３６０４号公報
【特許文献５】実開平１−１０２１２号公報
【特許文献６】実開平２−１３６５１８号公報
【考案の概要】
【考案が解決しようとする課題】
【０００７】
本考案の解決しようとする課題は、出願人が開発した上記の特許文献１や特許文献２に記載の折畳傘の傘保持具を、さらに使い勝手のよい構造からなるものであって、身体の胴部の周りに確実にベルトで固定して装着でき、しかも軽量であり、不使用時には傘を折畳んで保持できる折畳傘の傘保持具を提案することである。
【課題を解決するための手段】
【０００８】
上記の課題を解決するための本考案の手段は、請求項１の考案では、身体の胴部１５の形状に倣った幅広の曲状の硬質プラスチック製の胴当て板２を有し、この胴当て板２の外面２ａに、傘１ａの握り柄７を保持する傘保持用の硬質プラスチック製の縦向きの伸縮保持筒３を固定具備し、この伸縮保持筒３の隣に折り畳んだ傘１ａを収容する収納用の硬質プラスチック製の縦向きの収納筒４を平行に配置している。さらに、上記の胴当て板２に水平方向に取り付けた胴バンド５と肩から吊るす肩バンド６により身体の胴部１５へ装着するものとして形成した傘保持具１におけるものである。すなわち、この傘保持具１は、傘１ａの握り柄７の部分を保持する傘保持用の硬質プラスチック製の伸縮保持筒３を、円筒状の外筒３ａと、外筒３ａからテレスコピックに上方に延び、かつ下方の元の状態に戻る円筒状の内筒３ｉから形成している。さらに、外筒３ａの上部表面３ｂに上部押しノブ３ｅを有する押しノブ取付け具３ｄおよび外筒３ａの下部表面３ｃに下部押しノブ３ｆを有する押しノブ取付け具３ｄをそれぞれ設け、さらに外筒３ａの上部表面３ｂに上部止めボタン孔３ｇおよび外筒３ａの下部表面３ｃに下部止めボタン孔３ｈをそれぞれ開口している。さらに、これらの上部止めボタン孔３ｇおよび下部止めボタン孔３ｈに、内筒３ｉから外筒３ａへ弾撥的に突出して嵌合でき、かつ、これらの上部止めボタン孔３ｇおよび下部止めボタン孔３ｈから押しノブによる押圧により凹ませて外すことのできる突起状ボタン３ｊを、内筒３ｉの表面から外筒３ａ側へ突出状に設けている。そして、これら外筒３ａの上部押しノブ３ｅと下部押しノブ３ｆおよび上部止めボタン孔３ｇと下部止めボタン孔３ｈ並びに内筒３ｉの表面から突出する突起状ボタン３ｊを、外筒３ａと内筒３ｉの固定機構および固定解除機構としている。さらに、この内筒３ｉの上端部を梃子作用の支点の回動軸８とし、２枚の硬質プラスチック製の縦板９を開脚状で、この回動軸８で交差させて回動軸８に対して直角方向の略水平に支持し、この開脚状で回動軸８に直角方向の略水平に支持された２枚の硬質プラスチック製の縦板９の一端部の傘の握り柄７を挟持する２枚の挟み板９ａを梃子作用の作用点とする。一方、この開脚状で略水平に支持された２枚の硬質プラスチック製の縦板９の他端部の開脚状の２枚の押し板９ｄを梃子作用の力点とし、この開脚状の２枚の押し板９ｄに貫通する雌ねじ孔１０を設け、この雌ねじ孔１０に握り部であるねじ頭部１１ａを有する雄ねじ１１を挿通して設け、２枚の開脚状の押し板９ｄの開脚割合を固定するものとしたことを特徴とする身体の胴部１５に装着して傘１ａをさすための傘保持具１である。
【０００９】
請求項２の考案では、円筒状の外筒３ａとテレスコピックに上方に延びかつ下方の元の状態に戻る円筒状の内筒３ｉから形成の傘１ａの握り柄７の部分を保持する傘保持用の硬質プラスチック製の伸縮保持筒３は、外筒３ａの側部の一部に外筒３ａの下端から外筒上部表面３ｂに形成の上部止めボタン孔３ｇの位置までに筒軸方向の膨出部１２を設け、この外筒３ａの膨出部１２の内壁に筒軸方向にガイドする凹溝１３を形成し、この凹溝１３に嵌合しかつ凹溝１３に倣って上下動するガイドピン１４を内筒側端下端部３ｋに付設していることを特徴とする請求項１に記載の身体の胴部１５に装着して傘１ａをさすための傘保持具１である。
【考案の効果】
【００１０】
本考案は、上記の手段としたことで、考案者の提案した引用文献１や引用文献２の傘保持具では、折畳み傘の柄の握り柄である手元を内筒上部の手元挿入口から挿入して、内筒内の押付け板により握り柄の手元を押し付けて把持するようにしているが、折畳み傘の柄の握り柄である手元が曲状の手元でも挿着できるように、手元挿入口の直ぐ下の内筒の脇を開口して曲状手元出口を設け、この曲状手元出口から曲状の握り柄の手元の先端部を出すようにしている。しかし、この構造でも、曲状の握り柄の手元を有する傘を挿着するのは、傘を大きく回動させながら挿着する必要があり、難しかった。これに対して、本考案では、２枚の硬質プラスチック製の縦板を開脚状に水平に内筒の上端部に設け、この開脚状の２枚の縦板を開いて、開かれた２枚の縦板の間に傘の柄の握り柄の部分を挟持するようにして保持するので、傘の柄を通常に立てた状態で２枚の縦板に挟持することが極めて容易である。さらに、この場合、回動軸である内筒を垂直から数度傾けて略垂直とすることで、傘の柄を２枚の縦板の間に把持して傘をさした際に、傘の柄が顔の正面からやや外れた位置に傾斜するので、さした傘の柄が邪魔になることはない。
【図面の簡単な説明】
【００１１】
【図１】本考案の内筒を縮めた状態の傘保持具である。
【図２】本考案の内筒を伸ばした状態の傘保持具である。
【図３】（ａ）は本考案の外筒および内筒を一部切断して示し、（ｂ）は本考案の外筒を一分切断して示す図である。
【図４】本考案の傘の握り柄を挟持する挟み具および押し板からなる開脚状の縦板の上面から見た図である。
【図５】本考案の傘保持具と身体の胴部に装着して傘をさした人を示す図である。
【考案を実施するための形態】
【００１２】
本考案を実施するための形態について、添付の図面を参照して以下に順次説明する。
【００１３】
先ず、請求項１の考案では、身体の胴部１５の形状に倣った幅広の曲状の硬質プラスチック製の胴当て板２と、この胴当て板２の外面２ａに固定具備せしめた傘１ａの握り柄７を保持する傘保持用の硬質プラスチック製の縦向きの伸縮保持筒３と、この伸縮保持筒３の隣に平行に配置された折り畳んだ傘１ａの収納用の硬質プラスチック製の縦向きの収納筒４と、胴当て板２に取り付けた水平方向の身体の胴部１５へ装着する胴バンド５と肩から吊るす肩バンド６から形成の傘保持具１における考案である。
【００１４】
この傘保持具１は、傘１ａの握り柄７の部分を保持する傘保持用の硬質プラスチック製の伸縮保持筒３を、円筒状の外筒３ａとこの外筒３ａに内蔵されており、外筒３ａからテレスコピックに上方に延びることができ、かつ、この伸びた状態から下方の元の状態に戻ることができる円筒状の内筒３ｉから形成している。この外筒３ａの上部表面３ｂに上部押しノブ３ｅを有する押しノブ取付け具３ｄを設けており、外筒３ａの下部表面３ｃに下部押しノブ３ｆを有する押しノブ取付け具３ｄを設けている。さらに、外筒３ａの上部表面３ｂに上部止めボタン孔３ｇを開口しており、外筒３ａの下部表面３ｃに下部止めボタン孔３ｈを開口している。これらの上部止めボタン孔３ｇおよび下部止めボタン孔３ｈに、内筒３ｉから外筒３ａへ弾撥的に突出して嵌合でき、かつ、これらの上部止めボタン孔３ｇおよび下部止めボタン孔３ｈから押しノブの押圧により凹入させて、これらの上部止めボタン孔３ｇおよび下部止めボタン孔３ｈから外すことのできる突起状ボタン３ｊを、内筒３ｉの表面から外筒３ａ側に突出状に設けている。そして、これらの外筒３ａの上部押しノブ３ｅと下部押しノブ３ｆおよび上部止めボタン孔３ｇと下部止めボタン孔３ｈ並びに内筒３ｉの表面から突出して外筒３ａの上部止めボタン孔３ｇおよび下部止めボタン孔３ｈに係合する突起状ボタン３ｊを、外筒３ａと内筒３ｉの固定機構および固定解除機構としている。
【００１５】
これらの外筒３ａの上部止めボタン孔３ｇおよび下部止めボタン孔３ｈに、内筒３ｉの内部から内筒３ｉの外部へ突起状ボタン３ｊが突出するように、突起状ボタン３ｊの裏面を弾発バネで支持して内筒３ｉの内壁に取り付けている。そこで、この突起状ボタン３ｊが外筒３ａの上部止めボタン孔３ｇまたは下部止めボタン孔３ｈに合致すると、突起状ボタン３ｊはその合致した止めボタン孔に嵌合して、内筒３ｉが外筒３ａに固定される。この固定を外すためには、突起状ボタン３ｊを押しノブで押圧することにより、外筒３ａの上部止めボタン孔３ｇまたは下部止めボタン孔３ｈから突起状ボタン３ｊが外れる。この結果、内筒３ｉと外筒３ａとの係合が解かれて、内筒３ｉが外筒３ａ内を自由に上下動可能となる。そして、例えば内筒３ｉが外筒３ａの上方へ伸びて移動して押圧され、内筒３ｉ内に凹んだ突起状ボタン３ｊが外筒３ａの上部止めボタン孔３ｇの位置へ到達すると、この上部止めボタン孔３ｇに突起状ボタン３ｊが嵌合して、内筒３ｉが外筒３ａに伸長状態となって固定される。
【００１６】
さらに、内筒３ｉの上端部を梃子作用の支点の回動軸８とし、２枚の硬質プラスチック製の縦板９を回動軸８で交差させて開脚状とし、この開脚状の２枚の縦板を回動軸８に直角方向にして略水平に支持する。この回動軸８の上端部に開脚状で略水平に支持された２枚の硬質プラスチック製の縦板９の一端部を、傘の握り柄７を挟持する２枚の挟み板９ａとし、これらの２枚からなる挟み板９ａを梃子作用の作用点とする。一方、この回動軸８の上端部に開脚状で略水平に支持された２枚の硬質プラスチック製の縦板９の他端部である開脚状の２枚の押し板９ｄを梃子作用の力点とする。さらに、この開脚状の２枚の押し板９ｄに雌ねじ孔１０を水平に貫通して設ける。この設けた雌ねじ孔１０に握り部であるねじ頭部１１ａを有する雄ねじ１１を挿通し、この挿通した雄ねじ１１により２枚の開脚状の押し板９ｄの開脚割合を調節して固定するものとしている。これらの構成から、本考案の身体の胴部１５に装着して傘１ａをさすための傘保持具１を形成している。
【００１７】
さらに、請求項２の考案では、円筒状の外筒３ａとテレスコピックに上方に延び、かつ下方の元の状態に縮小して戻る円筒状の内筒３ｉから形成している傘１ａの握り柄７の部分を保持するための、傘保持用の硬質プラスチック製の伸縮保持筒３には、外筒３ａの側部の一部に外筒３ａの下端から外筒上部表面３ｂに形成の上部止めボタン孔３ｇの位置までの区間に、筒軸方向の膨出部１２を設けている。この外筒３ａの膨出部１２の内壁の部分は筒軸方向にガイドピン１４をガイドする凹溝１３となっている。そして、この凹溝１３にガイドピン１４が嵌合して凹溝１３に倣って筒軸方向に内筒３ｉが外筒３ａ内で回動することなく、したがって、上記した回動軸８の上端部に開脚状で略水平に支持された２枚の硬質プラスチック製の縦板９の水平の向きを変動することなく、上下動しうるものとされている。このガイドピン１４は内筒側端下端部３ｋの内筒表面に付設されている。このように、請求項２の手段は、請求項１の手段の身体の胴部１５に装着して傘１ａをさすための傘保持具１である。
【００１８】
ここで、本考案の傘保持具１を例示すると、胴当て板２は、縦幅が１８ｃｍ、横幅が１６ｃｍの硬質プラスチック板で、四隅の角部はアール状に丸められており、身体の胴回りに馴染みやすいようにやや曲面に形成されている。また、胴当て板２の裏面は、厚手のソフトな布地を貼って優しく身体に当接するようにしている。さらに、胴当て板２の左右側部中央部には縦方向の細溝が開口され、この細溝にその縦方向の溝幅である５ｃｍ幅の胴バンド５を挿通して、胴バンドの両端のバックル挿入具とバックル受け具で胴回りに固定する。この胴バンド５は長さが調節可能となっている。さらに胴当て板２の左右両端部にはそれぞれ肩バンド６を吊るす環を取り付けてあり、この環に肩バンド６の両端をナス環で係合するものとしている。この肩バンド６は長さが調節可能となっている。さらに胴当て板２の表側の中央部には、２個の押しノブ取付け具３ｄを外側に向けて上下に７ｃｍ離間して下部に設けた長さ１９ｃｍの外筒３ａがやや傾斜して略垂直に設けられている。この外筒の径は３．３ｃｍである。この外筒３ａに略同じ長さの内筒３ｉが外筒３ａの上部から挿着されている。内筒３ｉの上端部内に挿着した軸を回動軸８とする縦幅５ｃｍで横幅７．５ｃｍの大きさからなる２枚の一端が挟み板９ａで他端が押し板９ｄである板体が開脚状に設けられ、径４ｃｍの握り用の頭部１１ａを有する雄ねじ１１が他端の押し板９ｄに設けられている。一方、一端の２枚からなる開脚状の挟み板９ａの対向面部は傘の握り柄７を挟み得る様に縦方向の三角溝９ｂが形成され、握り柄７を摩擦で把持できるようにゴム板９ｃが貼られている。
【符号の説明】
【００１９】
１  傘保持具
１ａ  傘
２  胴当て板
２ａ  外面
３  伸縮保持筒
３ａ  外筒
３ｂ  外筒上部表面
３ｃ  外筒下部表面
３ｄ  押しノブ取付け具
３ｅ  上部押しノブ
３ｆ  下部押しノブ
３ｇ  上部止めボタン孔
３ｈ  下部止めボタン孔
３ｉ  内筒
３ｊ  突起状ボタン
３ｋ  内筒側端下端部
４  収納筒
５  胴バンド
６  肩バンド
７  握り柄
８  回動軸（内筒の上端部で梃子作用の支点）
９  （２枚の）縦板
９ａ  （２枚の）挟み板（梃子作用の作用点）
９ｂ  三角溝
９ｃ  ゴム板
９ｄ  （２枚の）押し板（梃子作用の力点）
１０  雌ねじ孔
１１  雄ねじ
１１ａ  頭部
１２  膨出部（外筒側部の筒軸方向の）
１３  凹溝（外筒内壁に形成の）
１４  ガイドピン
１５  身体の胴部
【図１】
0003172092.tif 000003
【図２】
0003172092.tif 000004
【図３】
0003172092.tif 000005
【図４】
0003172092.tif 000006
【図５】
0003172092.tif 000007